(57)【特許請求の範囲】
【請求項１】
フラットベット型原稿読取機構と自動給紙型原稿読取機構とを備える画像読取装置において、
フラットベット型原稿読取機構の持つ原稿押さえカバーの端部に、外側上方向に突出して、先端に貫通孔を持つアーム部材を設け、
かつ、スライダ部材と、該スライダ部材から突出する形態で形成されて、上記貫通孔に回転自在に挿入される回転軸部材とを持つ連結用部材を備えるとともに、
２つの原稿読取機構の接続部分に、該接続部分を被覆するとともに、垂直方向に形成されて、上記アーム部材を収納する第１の切欠け空間と、該第１の切欠け空間と連通する形態で垂直方向に形成されて、上記連結用部材を収納する第２の切欠け空間とを持つカバー部材を備えることを、
特徴とする画像読取装置。
【請求項２】
請求項１記載の画像読取装置において、
上記スライダ部材の断面形状が、Ｔ字形を有するように形成されることを、
特徴とする画像読取装置。
【請求項３】
請求項１又は２記載の画像読取装置において、
上記スライダ部材の前後面及び／又は左右面が、先端の方が細くなる段差形状又はテーパ形状を有するように形成されることを、
特徴とする画像読取装置。
【請求項４】
請求項３記載の画像読取装置において、
上記スライダ部材の前後面と左右面の双方が段差形状を有するときに、その段差位置がずれるように形成されることを、
特徴とする画像読取装置。
【請求項５】
請求項１記載の画像読取装置において、
上記第２の切欠け空間のスライダ部材を挿入する位置に、ガイドリブが形成されることを、
特徴とする画像読取装置。
【請求項６】
請求項１ないし５のいずれか１項に記載の画像読取装置において、
上記アーム部材の貫通孔が、回転軸部材が飛び出ないようにと該回転軸部材を挿入するとともに、その先端に、該回転軸部材との間の係合を取り外すための切り欠けが形成されることを、
特徴とする画像読取装置。
【発明の詳細な説明】
【０００１】
【発明の属する技術分野】
本発明は、フラットベット型原稿読取機構と自動給紙型原稿読取機構とを備える画像読取装置に関し、特に、コンパクトな装置を実現する画像読取装置に関する。
【０００２】
原稿の画像情報を読み取る画像読取装置には、大きく分けて、原稿台に原稿を載置して、ラインイメージセンサを移動させることで原稿の画像情報を読み取るフラットベット型の原稿読取装置と、ホッパに積載される原稿を１枚ずつ取り出して搬送し、それを固定したラインイメージセンサを使って読み取ることで原稿の画像情報を読み取る自動給紙型の原稿読取装置と、この２つの原稿読取装置の機能を備える原稿読取装置という３種類の画像読取装置がある。
【０００３】
フラットベット型の原稿読取装置の機能と、自動給紙型の原稿読取装置の機能とを備える画像読取装置は、２つの機能を備えることから装置が大きくなるという欠点を有しているので、この画像読取装置の実用性を高めるために、コンパクトな装置を実現するための技術を構築していく必要がある。
【０００４】
【従来の技術】
フラットベット型の原稿読取装置の機能と、自動給紙型の原稿読取装置の機能という２つの機能を備える画像読取装置では、従来、図１７に示すような装置構成を採っていた。
【０００５】
すなわち、従来の画像読取装置１では、原稿台２に載置される原稿を読み取る構成を採るフラットベット型原稿読取装置の機能と、ホッパ３から１枚ずつ原稿をピックしてスタッカ４へと送出しつつ原稿を読み取る構成を採る自動給紙型原稿読取装置の機能という２つの原稿読取装置の機能を具備する場合には、原稿台２の側にホッパ３を配設し、装置本体から突出する形態でスタッカ４を配設するという装置構成を採っていた。
【０００６】
ここで、ホッパ３は、装置本体に着脱自在に取り付けられるようになっていて、フラットベット型原稿読取装置として使用するときには、このホッパ３を装置本体からを取り外していったり、あるいは、装置本体に回転自在に取り付けられるようになっていて、フラットベット型原稿読取装置として使用するときには、このホッパ３を邪魔にならない位置に回転していくことで、原稿台２に載置される原稿を読み取ることになる。
【０００７】
そして、このような装置構成を採る場合にあって、従来の画像読取装置１では、図１８に示すように、フラットベット型原稿読取装置の持つ光学ユニット５を自動給紙型原稿読取装置としての読取位置まで移動させることで、原稿の表面を読み取るとともに、その光学ユニット５とは別に用意されて自動給紙型原稿読取装置としての読取位置で固定される光学ユニット６を使って、原稿の裏面を読み取るという構成を採っていた。
【０００８】
【発明が解決しようとする課題】
しかしながら、このような従来技術に従っていると、スタッカ４が装置本体から突出する形態で設けられることから、装置が大きくなるという問題点があった。
【０００９】
例えば、Ａ４の原稿を長手方向に読み取る場合には、Ａ４の原稿の長手方向の長さは約３００ｍｍであることから、約３００ｍｍの長さを持つスタッカ４を装置本体から突出する形態で備えなければならず、装置が大きくなるという問題点があったのである。
【００１０】
また、従来技術では、フラットベット型原稿読取装置の持つ光学ユニット５を自動給紙型原稿読取装置の光学ユニットと共有する形態を採っていることから、装置の長さが長くなるという問題点があった。
【００１１】
すなわち、図１９に示すように、フラットベット型原稿読取装置の持つ光学ユニット５を自動給紙型原稿読取装置の読取位置まで移動する必要があることから、装置の長さが長くなるという問題点があったのである。
【００１２】
本発明はかかる事情に鑑みてなされたものであって、フラットベット型原稿読取機構と自動給紙型原稿読取機構とを備える構成を採るときにあって、コンパクトな装置を実現する新たな画像読取装置の提供を目的とする。
【００２２】
【課題を解決するための手段】
この目的を達成するために、本発明では、フラットベット型原稿読取機構と自動給紙型原稿読取機構とを備える画像読取装置において、フラットベット型原稿読取機構の持つ原稿押さえカバーの端部に、外側上方向に突出して、先端に貫通孔を持つアーム部材を設ける構成を採る。
【００２３】
そして、スライダ部材と、そのスライダ部材から突出する形態で形成されて、アーム部材の貫通孔に回転自在に挿入される回転軸部材とを持つ連結用部材を備える構成を採る。
【００２４】
更に、２つの原稿読取機構の接続部分に、その接続部分を被覆するとともに、垂直方向に形成されて、アーム部材を収納する第１の切欠け空間と、その第１の切欠け空間と連通する形態で垂直方向に形成されて、連結用部材を収納する第２の切欠け空間とを持つカバー部材を備える構成を採る。
【００２５】
この構成に従って、本発明の画像読取装置によれば、フラットベット型原稿読取機構と自動給紙型原稿読取機構とを備える構成を採るときにあって、連結用部材の回転軸部材が原稿押さえカバーの持つアーム部材の貫通孔に挿入されて、それがフラットベット型原稿読取機構と自動給紙型原稿読取機構との接続部分を被覆する接続カバー部材の切り欠け空間に挿入されることで、原稿押さえカバーの開閉動作が実現され、これにより、この原稿押さえカバーを原稿の搬送先として用いつつ、フラットベット型原稿読取機構が厚い本などの原稿を読取対象とするときにも対処できるようになることで、この原稿押さえカバーを原稿の搬送先として用いることができるようになる。
【００２６】
このようにして、従来技術では、原稿の搬送先となるスタッカを装置本体から突出する形態で備える必要があったのに対して、本発明では、読取対象の原稿を積載するホッパを装置本体から突出する形態で備えればよく、ホッパはスタッカに比べて大きな角度で傾斜させることが可能であることから、従来技術に比べて装置を小型化できるようになる。
【００３０】
【発明の実施の形態】
以下、実施の形態に従って本発明を詳細に説明する。
【００３１】
図１に、本発明の一実施例を図示する。
【００３２】
この図に示すように、本発明の画像読取装置１では、フラットベット型原稿読取機構１０と自動給紙型原稿読取機構２０とを一体的に実装する構成を採るときにあって、読取対象となる原稿を積載するホッパ３を装置本体から突出する形態で配設するとともに、従来技術で必要としてスタッカ４の代わりに、フラットベット型原稿読取機構１０の原稿台２に設けられる原稿押さえカバー１１を原稿搬送先として用いるという構成を採っている。ここで、図中に示す３０は、フラットベット型原稿読取機構１０と自動給紙型原稿読取機構２０との接続箇所を被覆する接続カバーである。
【００３３】
この本発明の画像読取装置１に従うと、ホッパ３はスタッカ４に比べて大きな角度で傾斜させることが可能であることから、スタッカ４を装置本体から突出する形態で配設するという構成を採る従来技術に比べて、装置の長さを大幅に短くくできるようになる。
【００３４】
図２に、スタッカ４の代わりとして用いられる原稿押さえカバー１１の一例を図示する。
【００３５】
原稿押さえカバー１１は、長さ約４００ｍｍ×幅約３００ｍｍの大きさを持ち、この図に示すように、ユーザのハンドリング箇所となるハンドリング用突出部１１０の他に、幅約１５ｍｍ／長さ約２８０ｍｍ／深さ約５ｍｍの大きさを持つストッパ用溝１１１と、ストッパ用溝１１１の中央をカバー上面で渡る橋梁部１１２と、接続カバー３０側の端部の左右両側に、外側上方向に突出する形態で設けられる２つの連結用アーム１１３とを備える。
【００３６】
ここで、図２では明確に示していないが、原稿押さえカバー１１の接続カバー３０側の端部は、図３に示すように、原稿搬送方向に凹む形を示す凹形状に湾曲する形状を有している。これは、自動給紙型原稿読取機構２０から搬送されてくる原稿が、原稿押さえカバー１１と接続カバー３０との間の隙間に落ちてしまうのを防ぐために形成されている。
【００３７】
すなわち、原稿押さえカバー１１の接続カバー３０側の端部が、原稿搬送方向に凹む形を示す凹形状に湾曲する形状を有すると、自動給紙型原稿読取機構２０から搬送されてくる原稿の両端部分が確実に原稿押さえカバー１１に乗ることになるので、この搬送されてくる原稿が原稿押さえカバー１１と接続カバー３０との間の隙間に落ちることがなくなるからである。
【００３８】
図４に、原稿押さえカバー１１に形成されるストッパ用溝１１１の一例を図示する。ここで、図４（ａ）は、規定の深さ位置におけるストッパ用溝１１１の断面図、図４（ｂ）は、図４（ａ）のＡ方向から見た断面図、図４（ｃ）は、図４（ａ）のＢ方向から見た断面図である。
【００３９】
原稿押さえカバー１１に形成されるストッパ用溝１１１には、この図に示すように、両側の側壁に、原稿サイズに合わせて用意される凹形状を有する２×８個の係止用凹み１１１０が形成されるとともに、溝の両端に、原稿押さえカバー１１の上面から形成される２つのガイド用テーパ１１１１が形成され、更に、溝の底面に、２本のガイドレール１１１２が形成される。
【００４０】
このような構造を持つストッパ用溝１１１には、図５に示すような形状を持つ原稿ストッパ１２０が挿入されることになる。
【００４１】
図６に、原稿ストッパ１２０の詳細図面を図示する。ここで、図６（ａ）は、原稿ストッパ１２０を上から見た図、図６（ｂ）は、原稿ストッパ１２０を横から見た図、図６（ｃ）は、原稿ストッパ１２０を下から見た図である。
【００４２】
この図に示すように、原稿ストッパ１２０は、ストッパ用溝１１１に挿入される基体部材１２１と、基体部材１２１の一部が切り欠けられることで形成される可撓性を持つ２つの係止用レバー１２２と、係止用レバー１２２の先端に突出する形態で形成されて、ストッパ用溝１１１の係止用凹み１１１０に係止する係止爪１２３と、基体部材１２１から直立する形態で形成される原稿停止用部材１２４とを備える。
【００４３】
この係止用レバー１２２は、図６（ｃ）に示すように、基体部材１２１の下面外周縁部に形成される縁取部分１２５に形成されるものであり、図７に示すように、その縁取部分１２５の基体部材１２１が逆Ｌ字形に切り欠けられることで形成される。この切り欠けにより形成される係止用レバー１２２と基体部材１２１との間の隙間は、基体部材１２１をストッパ用溝１１１に挿入する際に、係止用レバー１２２に大きな力がかからないようにするために、可能な限り小さなものに設定される。
【００４４】
一方、係止用レバー１２２の先端に形成される係止爪１２３は、基体部材１２１をストッパ用溝１１１に挿入する際に、その挿入がスムーズなものとなるようにするために、図８（ａ）に示すように、先端に向かうに従って細くなるテーバ形状を持つ。
【００４５】
更に、係止用レバー１２２の先端に形成される係止爪１２３は、基体部材１２１をストッパ用溝１１１に沿って移動する際に、その移動がスムーズなものとなるようにするために、図８（ｂ）に示すように、係止用レバー１２２の回転中心側の断面形状が円弧を描くように形成されるとともに、その回転中心の逆側の断面形状がテーパを描くように形成され、これにより、図中の破線で示すように、基体部材１２１の移動の際に、係止爪１２３と係止用凹み１１１０との間の係止がスムーズに外れるようになることで、その移動がスムーズなものとなることを実現する。
【００４６】
このように構成される原稿ストッパ１２０は、ストッパ用溝１１１に挿入されて、係止爪１２３が係止用凹み１１１０に係止する指定の位置で停止し、これにより、原稿停止用部材１２４を使って、自動給紙型原稿読取機構２０から搬送されてくる原稿を受け取るように動作する。
【００４７】
このとき、ストッパ用溝１１１の持つガイド用テーパ１１１１により、原稿ストッパ１２０は、スムーズにストッパ用溝１１１に挿入されることになる。また、ストッパ用溝１１１の持つガイドレール１１１２により、原稿ストッパ１２０は、スムーズにストッパ用溝１１１を移動することになる。
【００４８】
そして、係止爪１２３が係止用凹み１１１０に係止することで指定の位置に停止された原稿ストッパ１２０は、原稿押さえカバー１１が開いても、その係止と橋梁部１１２との２箇所で保持されることになるので、ストッパ用溝１１１から抜け落ちてしまうような不都合は起こらない。
【００４９】
この原稿ストッパ１２０の挿入は、図３に示すように、挿入方向▲１▼と挿入方向▲２▼というストッパ用溝１１１の２つの端から可能であることから、図９に示すように、原稿停止用部材１２４を原稿押さえカバー１１の上で広範囲に移動させることが可能になることで、自動給紙型原稿読取機構２０の読取対象とする様々な原稿サイズに対応できるようになる。
【００５０】
次に、原稿押さえカバー１１の開閉動作を実現する機構について説明する。
【００５１】
図２に示したように、原稿押さえカバー１１は、接続カバー３０側の端部の左右両側に、外側上方向に突出する形態で設けられる２つの連結用アーム１１３を備える。
【００５２】
図１０に、この連結用アーム１１３の一実施例を図示する。ここで、図１０（ａ）は、連結用アーム１１３を横から見た図、図１０（ｂ）は、図１０（ａ）のＡ方向から見た断面図である。
【００５３】
この図に示すように、連結用アーム１１３は、その先端部分に、貫通孔１１３０を持つ。この貫通孔１１３０は、図１０（ｂ）に示すように、入り口側（後述する回転軸部材１３０の挿入口となる）に挿入用のテーパ部を持ち、その奥の径が入り口部分より小さくなり、更にその奥に位置する出口側の径が再び大きくなるという形状を有している。そして、図１０（ａ）に示すように、その出口側の径部分に、切り欠け１１３１が形成されている。
【００５４】
図１１に、この連結用アーム１１３の貫通孔１１３０に挿入される回転軸部材１３０の一実施例を図示する。ここで、図１１（ａ）は、回転軸部材１３０を正面から見た図、図１１（ｂ）は、回転軸部材１３０を横から見た図、図１１（ｃ）は、回転軸部材１３０を上から見た図である。
【００５５】
この図に示すように、連結用アーム１１３の貫通孔１１３０に挿入される回転軸部材１３０は、基体となるＴ字形の断面形状を有するスライダ部材１３００と、スライダ部材１３００から突出される形態で形成されて、２つに分割される円筒形部材１３０１とを備える。
【００５６】
このスライダ部材１３００は、図１１（ａ）の破線に示すように、正面方向から見た左右面に、肉盗みで形成される先端が細くなる段差形状が形成されるとともに、図１１（ｂ）の破線に示すように、正面方向から見た前後面に、その左右面に形成される段差位置とは異なる段差位置になるようにと、肉盗みで形成される先端が細くなる段差形状が形成されている。そして、この円筒形部材１３０１の先端には、テーパ部を持つ大きな径を持つ抜け止め部１３０２が形成されている。
【００５７】
ここで、スライダ部材１３００に段差形状を形成するのではなくて、先端が細くなるテーパ形状を形成することもある。
【００５８】
このように構成される回転軸部材１３０の円筒形部材１３０１は、２つに分割されていることで収縮性を持ち、これにより、連結用アーム１１３の貫通孔１１３０に挿入されて、大きな径を持つ貫通孔１１３０の出口部分で抜け止め部１３０２が元の形状に復帰することで、連結用アーム１１３に回転自在に取り付けられることになる。
【００５９】
この円筒形部材１３０１の長さは、連結用アーム１１３の貫通孔１１３０に挿入されたときに、その先端が貫通孔１１３０を飛び出ないようにと設計されており、これから、回転軸部材１３０を連結用アーム１１３から取り外すときには、貫通孔１１３０の出口部分に設けられる切り欠け１１３１にピンなどを挿入して円筒形部材１３０１を収縮させることで行うことになる。
【００６０】
このようにして回転軸部材１３０が連結用アーム１１３に挿入されるときにあって、スライダ部材１３００の姿勢が原稿押さえカバー１１と直交する状態にあるときには、真上からこの挿入状態を見た場合、図１２に示すように、スライダ部材１３００のＴ字形断面が見えることになる。
【００６１】
図２に示した接続カバー３０は、図１３に示すように、フラットベット型原稿読取機構１０と自動給紙型原稿読取機構２０との接続箇所を被覆すべく設けられるものであり、図１４に示すように、回転軸部材１３０の挿入された連結用アーム１１３を垂直方向に移動可能とする形で収納する切り欠け空間３００を持つことで、原稿押さえカバー１１を上方向に平行移動させることを可能にし、これにより、フラットベット型原稿読取機構１０が本などの厚手の原稿を読取対象とするときに対応できるようにする構成を採っている。
【００６２】
図１１で説明したように、この切り欠け空間３００に収納される回転軸部材１３０の基体となるスライダ部材１３００は、先端が細くなる段差形状を有している。これは、本などの厚手の原稿を読取対象とするときには、切り欠け空間３００に整合するあまりにきっちりとした構造を持つと余分な動きを取ることができず、対応できなくなってしまうからである。また、図１１で説明したように、スライダ部材１３００の持つ左右面の段差形状の段差位置と前後面の段差形状の段差位置とをずらしたのも、挿入タイミングをずらすことで、本などの厚手の原稿を読取対象とするときに、スライダ部材１３００の挿入を容易にすることに、その理由がある。
【００６３】
この接続カバー３０は、図１４に示すように、ガイドリブ３０１とネジ孔３０２とを備えて、このガイドリブ３０１を使って、フラットベット型原稿読取機構１０と自動給紙型原稿読取機構２０とを接続する図示しない板金構造部品に位置決めされた後、このネジ孔３０２にネジ締めされるネジを使って、その板金構造部品に取り付けられることになる。
【００６４】
図１５に、接続カバー３０に設けられる切り欠け空間３００の詳細図面を図示する。ここで、図１５（ａ）は、接続カバー３０を上から見た図、図１５（ｂ）は、切り欠け空間３００の部分の拡大図である。
【００６５】
この図１５（ａ）に示すように、接続カバー３０に設けられる切り欠け空間３００は、連結用アーム１１３を収納する第１の収納空間３００１と、Ｔ字形断面形状を有するスライダ部材１３００（回転軸部材１３０の基体となるもの）を収納する第２の収納空間３００２とで構成されており、更に、この第２の収納空間３００２には、図１５（ｂ）に示すように、スライダ部材１３００を挿入する際に問題となる成形品のソリの影響を吸収するための４個のガイドリブ３００３が形成されている。
【００６６】
このように構成される切り欠け空間３００を備えることで、接続カバー３０は、図１２に示したような姿勢状態にある回転軸部材１３０の挿入された連結用アーム１１３を、その切り欠け空間３００に挿入する。
【００６７】
このとき、回転軸部材１３０の円筒形部材１３０１が連結用アーム１１３の貫通孔１１３０に挿入されていることで、連結用アーム１１３が回転可能になり、これにより、原稿押さえカバー１１が開閉動作可能になる。
【００６８】
切り欠け空間３００に挿入された連結用アーム１１３及び回転軸部材１３０は、垂直方向に移動でき、これにより、ユーザは、フラットベット型原稿読取機構１０を使って本などの厚手の原稿を読み取るときに、原稿押さえカバー１１を垂直方向に移動させることで、原稿押さえカバー１１に無理な力をかけることなく、その原稿を読み取ることができるようになる。
【００６９】
この構成を採るときに、回転軸部材１３０の基体となるスライダ部材１３００の断面形状をＴ字形とし、これに合わせて、切り欠け空間３００の持つ第２の収納空間３００２の断面形状をＴ字形とする構成を採ったが、この構造を採ることで、原稿押さえカバー１１の回転ぶれを防止できるようになる。すなわち、図１２に示した図から分かるように、原稿押さえカバー１１の左右両端に、Ｔ字形の回転ぶれ防止構造が形成されることで、原稿押さえカバー１１の回転ぶれ（垂直軸を回転軸とする回転ぶれ）を防止できるようになるのである。
【００７０】
次に、本発明の画像読取装置１の備える自動給紙型原稿読取機構２０の装置構成について説明する。
【００７１】
図１６に、本発明の画像読取装置１の備える自動給紙型原稿読取機構２０の装置構成の一例を図示する。
【００７２】
この図に示すように、本発明の画像読取装置１の備える自動給紙型原稿読取機構２０は、フラットベット型原稿読取機構１０の備える光学ユニット１０００とは独立する形態で、原稿表面を読み取るための光学ユニット２００と、原稿裏面を読み取るための光学ユニット２０１とを備える。
【００７３】
すなわち、フラットベット型の原稿読取装置の機能と、自動給紙型の原稿読取装置の機能という２つの機能を備える従来の画像読取装置では、図１８で説明したように、フラットベット型原稿読取装置の持つ光学ユニット５を自動給紙型原稿読取装置と共用する形態を採って、この光学ユニット５を自動給紙型原稿読取装置としての読取位置まで移動させることで、原稿の表面を読み取るとともに、この光学ユニット５とは別に用意されて自動給紙型原稿読取装置としての読取位置で固定される光学ユニット６を使って、原稿の裏面を読み取る構成を採っていた。
【００７４】
これに対して、本発明の画像読取装置１では、フラットベット型原稿読取機構１０の備える光学ユニット１０００とは独立する形態で、自動給紙型原稿読取機構２０の必要とする原稿表面を読み取るための光学ユニット２００と、原稿裏面を読み取るための光学ユニット２０１とを備える構成を採っている。
【００７５】
この構成を採ることで、フラットベット型原稿読取機構１０の備える光学ユニット１０００を自動給紙型原稿読取機構２０の読取位置まで移動させる必要がなくなることから、従来技術に比べて画像読取装置１の長さを短くできるようになる。
【００７６】
フラットベット型原稿読取機構１０の備える光学ユニット１０００を自動給紙型原稿読取機構２０の読取位置まで移動させる構成を採る場合、その移動先よりも更に先に、ある程度の大きさを持つ空間を用意しなければならないことから、そのような構成を採らない本発明に従うと、従来技術に比べて画像読取装置１の長さを短くできるようになるのである。
【００８５】
【発明の効果】
以上説明したように、本発明の画像読取装置では、フラットベット型原稿読取機構と自動給紙型原稿読取機構とを備える構成を採るときにあって、フラットベット型原稿読取機構の持つ原稿押さえカバーの端部に、外側上方向に突出して、先端に貫通孔を持つアーム部材を設ける。そして、スライダ部材と、スライダ部材から突出する形態で形成されて、その貫通孔に回転自在に挿入される回転軸部材とを持つ連結用部材を備え、更に、２つの原稿読取機構の接続部分に、その接続部分を被覆するとともに、垂直方向に形成されて、アーム部材を収納する第１の切欠け空間と、その第１の切欠け空間と連通する形態で垂直方向に形成されて、連結用部材を収納する第２の切欠け空間とを持つカバー部材を備える構成を採っている。
【００８６】
この構成を採ることで、連結用部材の回転軸部材が原稿押さえカバーの持つアーム部材の貫通孔に挿入されて、それがフラットベット型原稿読取機構と自動給紙型原稿読取機構との接続部分を被覆する接続カバー部材の切り欠け空間に挿入されることで、原稿押さえカバーの開閉動作が実現され、これにより、この原稿押さえカバーを原稿の搬送先として用いつつ、フラットベット型原稿読取機構が厚い本などの原稿を読取対象とするときにも対処できるようになることで、この原稿押さえカバーを原稿の搬送先として用いることができるようになる。
このようにして、従来技術では、原稿の搬送先となるスタッカを装置本体から突出する形態で備える必要があったのに対して、本発明の画像読取装置では、読取対象の原稿を積載するホッパを装置本体から突出する形態で備えればよく、ホッパはスタッカに比べて大きな角度で傾斜させることが可能であることから、従来技術に比べて装置を小型化できるようになる。
【００８７】
さらに、本発明の画像読取装置では、この構成を採るときに、スライダ部材の断面形状がＴ字形を有するように形成されることがあり、これにより、原稿押さえカバーの回転ぶれを防止できるようになる。
【００８８】
そして、このとき、スライダ部材の前後面及び／又は左右面が、先端の方が細くなる段差形状又はテーパ形状を有するように形成されることがあり、更に、スライダ部材の前後面と左右面の双方が段差形状を有するときに、その段差位置がずれるように形成されることがある。これにより、連結用部材をある程度のルーズさをもって接続カバー部材の切り欠け空間に挿入できるようになるとともに、簡単に挿入できるようになることで、フラットベット型原稿読取機構が厚い本などの原稿を読取対象とするときにも、対応できるようになる。
【図面の簡単な説明】
【図１】本発明の一実施例である。
【図２】原稿押さえカバーの一例である。
【図３】原稿押さえカバーの一例である。
【図４】ストッパ用溝の一例である。
【図５】原稿ストッパの一例である。
【図６】原稿ストッパの一例である。
【図７】係止用レバーの一例である。
【図８】係止爪の一例である。
【図９】原稿停止用部材の移動範囲の説明図である。
【図１０】連結用アームの一実施例である。
【図１１】回転軸部材の一実施例である。
【図１２】回転軸部材の取付状態の取付状態の説明図である。
【図１３】接続カバーの説明図である。
【図１４】接続カバーの一実施例である。
【図１５】接続カバーの一実施例である。
【図１６】自動給紙型原稿読取機構の一例である。
【図１７】従来技術の説明図である。
【図１８】従来技術の説明図である。
【図１９】従来技術の説明図である。
【符号の説明】
１    画像読取装置
２    原稿台
３    ホッパ
１０  フラットベット型原稿読取機構
１１  原稿押さえカバー
２０  自動給紙型原稿読取機構
３０  接続カバー
【図１】
0003607831.tif 000002
【図２】
0003607831.tif 000003
【図３】
0003607831.tif 000004
【図４】
0003607831.tif 000005
【図５】
0003607831.tif 000006
【図６】
0003607831.tif 000007
【図７】
0003607831.tif 000008
【図８】
0003607831.tif 000009
【図９】
0003607831.tif 000010
【図１０】
0003607831.tif 000011
【図１１】
0003607831.tif 000012
【図１２】
0003607831.tif 000013
【図１３】
0003607831.tif 000014
【図１４】
0003607831.tif 000015
【図１５】
0003607831.tif 000016
【図１６】
0003607831.tif 000017
【図１７】
0003607831.tif 000018
【図１８】
0003607831.tif 000019
【図１９】
0003607831.tif 000020